(57)【特許請求の範囲】
【請求項１】
‐第１中間周波数搬送波上で変調されたテレビジョン信号（中間周波数テレビジョン信号）から（第１）振動を導出する振動発生段であって、該振動の周波数は中間周波数テレビジョン信号内の中間周波数画像搬送波の周波数と一致しており且つ少なくとも前記画像搬送波に対してほぼ９０°の位相角を有する振動発生段と、
‐（第１）ミクサ段であって、該段の第１入力が前記（第１）振動を受信し得るミクサ段と、
‐前記（第１）ミクサ段の第２入力に、前記中間周波数テレビジョン信号又は第２中間周波数搬送波上で変調された音声信号（中間周波数音声信号）を選択的に印加するための切換装置と、
を具えているテレビジョン信号内の音声信号を復調する回路装置。
【請求項２】
請求項１記載の回路装置において、前記テレビジョン信号の少なくとも第１伝送規格用に、前記中間周波数テレビジョン信号を前記切換装置により前記（第１）ミクサ段の第２入力に印加することができ、且つ前記テレビジョン信号の少なくとも第２伝送規格用に、前記中間周波数音声信号を前記切換装置により前記（第１）ミクサ段の第２入力に印加することができることを特徴とするテレビジョン信号内の音声信号を復調する回路装置。
【請求項３】
請求項１又は請求項２記載の回路装置において、前記中間周波数音声信号が予め設定可能な信号レベルに到達すると、前記切換装置を作動させるための切換信号を導出することができる制御段を具えていることを特徴とする回路装置。
【請求項４】
請求項３記載の回路装置において、前記制御段が、予め設定可能な信号レベルに到達する瞬間を検出するための比較器を具えていることを特徴とする回路装置。
【請求項５】
請求項３又は請求項４記載の回路装置において、前記中間周波数音声信号が２端子によって印加されること、及び前記２端子のうちの一方に、前記２端子間が予め設定可能な信号レベルに到達するような固定の基準レベルを印加することを特徴とする回路装置。
【請求項６】
前記請求項のいずれか１項記載の回路装置において、前記振動発生段が前記中間周波数テレビジョン信号から第２振動を導出し、該第２振動の周波数と位相が前記画像搬送波の周波数と位相に一致し、且つ前記第２振動を第２ミクサ段の第１入力に印加し、該第２ミクサ段の第２入力が、復調のために中間周波数テレビジョン信号を受信できることを特徴とする回路装置。
【発明の詳細な説明】
【０００１】
【産業上の利用分野】
本発明はテレビジョン信号内の音声信号を復調する回路装置に関するものである。
【０００２】
【従来の技術】
異なる伝送規格のテレビジョン信号を受信するためのテレビジョン受信機は、異なる送信機から受信することの可能性、それ故に異なる伝送規格において動作するテレビジョン送信機の放送地域内での一般的な利用可能性を拡張するために用いられ、特にそのような受信機は異なる国におけるテレビジョン送信を受信するために用いられる。単一の国内で衛星を介して送信するテレビジョンプログラムを利用できることにより、今日では異なる伝送規格を用いるテレビジョン放送を随意に受信することも一つの目的である。これらの規格の各々に対して個別の、完全な受信機の保有は非常に不経済である。それ故にこの目的は、単一の装置による受信機の位置において、利用できる全部の伝送規格を取り扱うことである。それで、この問題点はそれ自身で、特に中間周波数帶域において、すなわち中間周波数搬送波上で変調された状態において、異なる規格のテレビジョン信号が異なる変調周波数及び変調形態を有し、且つ従ってそれらが復調される場合に異なる処理を必要とすることを引き起こす。
【０００３】
【発明が解決しようとする課題】
少ない構成要素によって、異なる伝送規格のテレビジョン信号内の音声信号を復調することを可能にする回路装置を提供することが本発明の目的である。
【０００４】
【課題を解決するための手段】
この目的のために、本発明による回路装置は、第１中間周波数搬送波上で変調されたテレビジョン信号（中間周波数テレビジョン信号）から（第１）振動を引き出す振動発生段であって、該振動の周波数は中間周波数テレビジョン信号内の中間周波数画像搬送波の周波数と一致しており且つ前記画像搬送波振動と少なくとも実質的に９０°の位相角を有する振動発生段と、（第１）ミクサ段であって、該段の第１入力端子が前記の（第１）振動を受信するミクサ段と、前記（第１）ミクサ段の第２入力端子へ中間周波数テレビジョン信号又は第２中間周波数搬送波上で変調された音声信号（中間周波数音声信号）を選択的に印加するための切換装置とを具えている。
【０００５】
本発明による回路装置は特に、少数の構成要素を用いて、単純な方法でインターキャリア（搬送波間）法及びＱＳＳ法によってテレビジョン信号内の音声信号を、所望のように、復調することを可能にする。音声信号の既知の「インターキャリア」処理は異なる伝送規格のテレビジョン信号内の音声信号を復号するための単純化された回路装置、あるいはＢ／Ｇ伝送規格に従ったステレオ音声信号を処理するための低価格回路に適している。そのような信号処理方法においては、ＱＳＳ法に従った復号に対して特に必要である全部の信号処理段は使用されずに、周波数が画像搬送波の周波数よりも通常５．５ＭＨｚ及び５．７４ＭＨｚ  高い二つの中間周波数副搬送波上で変調された中間周波数音声信号が、中間周波数テレビジョン信号の復調に続いて周波数復調器段において復調される。ＱＳＳ法のために必要なフィルタ要素の数がそれにより低減される。
【０００６】
本発明による回路装置は、単純な可能性、すなわち単純な構造を用いた、インターキャリア法及びＱＳＳ法に従った復調を可能にする。テレビジョン信号を処理する必要性に対する非常に単純な適合がかくして可能である。
【０００７】
本発明による回路装置がＱＳＳ法に従って動作する場合には、中間周波数音声信号が切換装置を介して（第１）ミクサ段の第２入力端子に印加され、且つこの段において、９０°の位相ずれ以外は画像搬送波と一致する（第１）振動と混合される。この回路装置がインターキャリア法に従って動作する場合は、中間周波数テレビジョン信号が切換装置を介して（第１）ミクサ段の第２入力端子に印加され、（第１）振動と混合される。中間周波数テレビジョン信号内の画像搬送波と（第１）振動との間の９０°の位相角に基づいて、音声信号の周波数領域内へ漏洩しうるテレビジョン信号成分が、混合の間に十分に抑制される。これによりテレビジョン信号依存の干渉位相変調を実質的に得ることができるので、非常に良好な音声信号に対する信号対雑音比が得られる。単一の中間周波数フィルタのみが音声信号の次の処理のために必要であるので、そのフィルタを介して音声信号が全部の伝送規格に対して供給され、非常に少数のフィルタ回路が本発明による回路装置に対して必要である。
【０００８】
本発明による回路装置の好適な一実施例においては、この回路装置は制御段を具えており、その制御段によって中間周波数音声信号の所定の信号レベルに到達した場合に切換装置を作動させるための切換信号を導出し得る。この方法で、切換信号を個別に供給すること無しに、且つ従ってこの切換信号用の個別の導線無しに切換装置を作動させ得る。切換情報は、直流レベルとして好適に、中間周波数音声信号に重畳される。
【０００９】
好都合にも、制御段は中間周波数音声信号が予め設定可能な信号レベルに到達した瞬間を検出するための比較器を具えている。この比較器において、中間周波数音声信号内の直流レベルが、予め設定可能な基準レベルと好適に比較され得る。
【００１０】
中間周波数音声信号が２端子により印加される場合であり、且つその端子の一方に、これら２端子間が予め設定可能な信号レベルに到達するような固定基準レベルを印加する場合には、非常に単純な好適例が得られる。（第１）ミクサ段が中間周波数テレビジョン信号を受信しなければならず、且つ従って個別の中間周波数音声信号の信号径路が必要でない伝送規格による動作の場合には、個別の中間周波数音声信号の信号径路が一定の基準レベル、特に規定された直流レベルにおいて好都合に制御される。最も単純な場合には中間周波数音声信号を印加するための端子の一方が規定された電位、例えば大地へ短絡スイッチを介して接続される。その時比較器は個別の中間周波数音声信号の信号径路を切り離す。
【００１１】
本発明の有利な別の実施例においては、周波数と位相とが画像搬送波の周波数と位相とに一致し、第２入力端子が復調のために中間周波数テレビジョン信号を受信できる第２ミクサ段の第１入力端子に印加される中間周波数テレビジョン信号から第２振動を振動発生段が引き出すような方法で、その回路装置がテレビジョン信号内の画像信号を復調するための装置と組み合わされる。その振動発生段はかくして画像信号を処理するためにも用いられる。
【００１２】
本発明のこれらの、及びその他の態様が、以下に記載される実施例から明らかになり、且つ以下に記載される実施例を参照して解明されるであろう。
【００１３】
【実施例】
第１図は本発明による一実施例を示している。この回路装置においては、中間周波数テレビジョン信号が２端子入力端子２を介して中間周波数テレビジョン入力段１に印加される。その中間周波数テレビジョン信号が、この段において実行される処理動作、特に増幅動作の後に、中間周波数テレビジョン入力段１の出力端子３において利用できる。中間周波数テレビジョン信号はこの出力端子から、振動発生段５の入力端子４と、切換装置７の第１入力端子６、及び第２ミクサ段９の第２入力端子８へ印加される。
【００１４】
好適に位相ロックループを具えている振動発生段５においては、第１振動及び第２振動が中間周波数テレビジョン信号から導出され、それらの信号の周波数は中間周波数テレビジョン信号内の中間周波数画像搬送波の周波数と一致している。この画像搬送波は好適にそのテレビジョン信号が変調される第１中間周波数搬送波にも一致している。この第１振動と第２振動とは相互に９０°の位相角を有し、第２振動は画像搬送波と同相である。その第１振動は第１出力端子１０から振動発生段５により供給され、且つ第２振動は第２出力端子１１から供給される。
【００１５】
中間周波数テレビジョン信号はかくして第２ミクサ段９の第２入力端子８に印加され、振動発生段５の第２出力端子１１からの第２振動は第１入力端子１２に印加される。第２ミクサ段９においては復調されたテレビジョン信号がこれらの信号を混合することにより作り出され、その復調されたテレビジョン信号は第２ミクサ段９の出力端子１３から印加され、且つ出力増幅器１４を介して端子１５へ印加される。１個又はそれ以上のインターキャリア振動上で変調された音声信号と同様にこのベースバンド内のテレビジョン信号はこの端子１５から取得し得る。
【００１６】
振動発生段５の第１出力端子１０からの第１振動は第１ミクサ段１７の第１入力端子１６に印加される。この第１ミクサ段１７の第２入力端子１８は切換装置７の出力端子１９に接続されている。第１入力端子６の代わりに、切換装置７の第２入力端子２０をこの出力端子１９に代わりに接続してもよく、その目的のために切換装置７は切換入力端子２１を介して切換信号を受信できる。テレビジョン信号の少なくとも第１伝送規格用の中間周波数テレビジョン信号が第１入力端子６から第１ミクサ段１７の第２入力端子１８に印加され、テレビジョン信号の少なくとも第２伝送規格用の中間周波数音声信号がこの切換装置７の第２入力端子２０から第１ミクサ段１７の第２入力端子１８に印加されるような方法で、この切換装置７は入力端子２における中間周波数テレビジョン信号の伝送規格に依存して好適に作動する。Ｂ／Ｇ伝送規格においては特に、切換装置７の第１入力端子６が、その時インターキャリア法に従って復調されている中間周波数音声信号により、切換装置の出力端子１９に接続される。しかしながら、ＱＳＳ法においては、個別の中間周波数音声信号が第２入力端子２０から第１ミクサ段１７の第２入力端子１８に印加される。
【００１７】
中間周波数音声入力段２２の出力端子２３は切換装置７の第２入力端子２０の前にある。この中間周波数音声入力段２２は好適に増幅器段を具え、できれば、中間周波数音声信号を第１ミクサ段１７により処理され得る形態で用意するための他の装置を具えている。その中間周波数音声信号は中間周波数音声入力段２２の２端子入力端子２４に印加される。その入力端子２４は制御段２６の同様な２端子入力端子２５にも接続されており、切換装置７の切換入力端子２１に接続されている制御段の出力端子２７は切換信号を供給できる。
【００１８】
制御段２６は比較器を具えており、その比較器により制御段２６の入力端子２５の２端子における信号レベルの間の差が好適に決定される。この差が予め設定可能な基準レベルに到達した場合に、すなわちこの差を構成している中間周波数音声信号が予め設定可能な信号レベルを超過した場合に、この超過を検出する比較器が制御段２６内の出力端子２７から切換信号を供給し、その切換信号により切換装置７内の第１入力端子６が出力端子１９に接続される。図に示された実施例においては、入力端子２４と入力端子２５との端子の一方が、スイッチ２８を介して大地へ接続され得る。一定の基準レベル、この例においては大地電位が、それによりこの端子に印加される。入力端子２５の両端子における電圧差、すなわち印加された中間周波数音声信号の直流レベルが、このようにして所定の信号レベル（基準レベル）より上に上げられる。この装置によって、制御段２６に対する個別の入力をなくすことができる。記載されたこの回路装置が単一の半導体本体上に集積されねばならぬ場合には、そのような集積回路に対する接点の数が低減されるか又は低い数に維持され得るので、このことは特に重要である。予め設定可能な信号レベル（基準レベル）は実際値例では１Ｖであるが、それは提供される信号に少しだけ適合させてもよい。例えばトランジスタにより形成されたスイッチ２８が、前記の集積回路の外側に配設されてもよい。
【００１９】
制御段２６の制御導線２９が中間周波数音声入力段２２へ接続されている。出力端子２７における切換信号と同時に、切換装置７内の第１入力端子６が出力端子１９へ接続され且つ従って入力端子２４からの中間周波数音声信号がこの回路装置により評価されない場合に、中間周波数音声入力段２２がこの制御導線２９を介して動作できなくされる。必要な電力はかくして対応する動作状態において低減され得る。
【００２０】
第１ミクサ段１７の出力端子３０は、出力端子３３がインターキャリア信号として音声信号を供給するフィルタ及び増幅器段３２の入力端子３１に接続されている。処理されるべき全部の伝送規格に対して、すなわち切換装置７の二つの切換位置により特徴付けられる動作条件において、出力端子３０における音声信号は、フィルタ及び増幅器段３２がそれの設計数値を変えることなく全部の伝送規格に対して使用され得るような方法で、相互に一致する信号パラメータを有している。例えば、インターキャリア法においては、中間周波数テレビジョン入力段１の出力端子３における中間周波数テレビジョン信号内の音声信号は、それらが周波数５．５ＭＨｚ及び５．７４ＭＨｚ  の音声搬送波上で変調され且つ出力端子３０からインターキャリア信号として供給されるような方法で、中間周波数テレビジョン信号の画像搬送波により変調される。ＱＳＳ法においては、中間周波数音声信号は中間周波数音声入力段２２により供給され且つ３３．４ＭＨｚ  及び３３．１６ＭＨｚの搬送波上で変調される。インターキャリア信号は第１ミクサ段１７内の画像搬送波と混合することにより、この場合にも得られる。
【図面の簡単な説明】
【図１】本発明による一実施例を示す図である。
【符号の説明】
１  中間周波数テレビジョン入力段
２  ２端子入力端子
３  出力端子
４  入力端子
５  振動発生段
６  第１入力端子
７  切換装置
８  第２入力端子
９  第２ミクサ段
１０  第１出力端子
１１  第２出力端子
１２  第１入力端子
１３  出力端子
１４  出力増幅器
１５  端子
１６  第１入力端子
１７  第１ミクサ段
１８  第２入力端子
１９  出力端子
２０  第２入力端子
２１  切換入力端子
２２  中間周波数音声入力段
２３  出力端子
２４  ２端子入力端子
２５  ２端子入力端子
２６  制御段
２７  出力端子
２８  スイッチ
２９  制御導線
３０  出力端子
３１  入力端子
３２  フィルタ及び増幅器段
３３  出力端子
【図１】
0003604174.tif 000002